(57)【特許請求の範囲】
【請求項１】
シートを搬送する回転体対と、シート搬送方向と逆方向に付勢され、搬送されるシートの斜行を補正するために前記回転体対に向かうシートの先端に前記回転体対のニップ部よりもシート搬送方向上流で当接する当接部を有し、搬送されるシートにより押圧されて揺動するシャッタ部材と、を備えたシート搬送装置において、
前記シャッタ部材をシート搬送方向と逆方向に付勢するトーションバネと、
前記回転体対を構成する一方の回転体を回転可能に支持する軸受け部と、を備え、
前記シャッタ部材を前記一方の回転体と同軸上に揺動可能に前記軸受け部により支持し、かつ前記トーションバネを前記シャッタ部材と同軸上に前記軸受け部により支持すると共に、前記軸受け部に、前記トーションバネの一端を係止する係止部と、前記トーションバネにより付勢された前記シャッタ部材と当接し、搬送されてくるシートの先端に当接する待機位置に前記シャッタ部材を保持する突き当て部と、を設けたことを特徴とするシート搬送装置。
【請求項２】
前記軸受け部のシート搬送方向と直交する側面に前記係止部と前記突き当て部とを設けたたことを特徴とする請求項１記載のシート搬送装置。
【請求項３】
前記シャッタ部材の当接部は、シートと当接するシート突き当て面が形成されていて、前記回転体対の軸方向において複数設けられていることを特徴とする請求項１または２に記載のシート搬送装置。
【請求項４】
シートに画像を形成する画像形成部と、シートを前記画像形成部に搬送する請求項１ないし３のいずれか１項に記載のシート搬送装置とを備えたことを特徴とする画像形成装置。
【発明の詳細な説明】
【技術分野】
【０００１】
本発明は、シート搬送装置及び画像形成装置に関し、特にシートの斜行を補正するための斜行補正部を備えたものに関する。
【背景技術】
【０００２】
従来の画像形成装置においては、複写機、レーザープリンタ、ＬＥＤプリンタ、ファクミリ、ワードプロセッサ及びこれらの複合機等、電子写真画像形成方式を用いてシートに画像を形成するものがある。さらに、このような画像形成装置においては、シートの片面（第１面）に画像を形成した後、シートを画像形成部に再度搬送し、シートの反対側の面（第２面）に画像を形成するようにしたものがある。
【０００３】
図９は、このような従来の画像形成装置の構成を示す図である。この画像形成装置は、シートに画像を形成する画像形成部１００と、片面に画像が形成されたシートを画像形成部１００に再度搬送するためのスイッチバックユニット１０１を備えている。なお、図９において、１５７は、感光体ドラム１５７ａ、現像器１５７ｂ等を備えたプロセスカートリッジである。
【０００４】
そして、シートＳの両面に印字を行なう場合には、まず給紙ローラ１５２によりシートＳを給送し、この後、搬送ローラ１５４によりシートＳを画像形成部１００に搬送する。次に、感光体ドラム１５７ａ上に形成された潜像を現像器１５７ｂによりトナーを用いて現像することにより感光体ドラム１５７ａ上に形成されたトナー像を、シートの片面に転写する。さらに、この後、定着部１８１により、シートＳを加熱及び加圧することによりトナー画像をシート上に定着させる。
【０００５】
次に、片面に画像が形成されたシートＳを、排紙ローラ１５９の逆転により、スイッチバックユニット１０１に搬送する。この後、スイッチバックユニット１０１に搬送されたシートＳを、再搬送通路Ｒ１を経て、搬送ローラ１５４により再度、画像形成部１００に搬送し、シートＳの２面目に画像を形成する。
【０００６】
ところで、従来の画像形成装置において、シートに対する画像形成位置の精度（以下、画像形成位置精度という）は重要な画像品質要素の一つであるが、シートが斜行すると、画像形成位置精度が悪化する。そこで、従来の画像形成装置においては、シートを画像形成部に搬送するシート搬送装置に斜行補正手段を設け、この斜行補正手段によってシートの斜行を補正することにより、画像形成位置精度の向上を図っている。
【０００７】
ここで、このような斜行補正手段としては、シート搬送方向に対して垂直に位置するシート当接部材にシートを突き当て、シート先端をシート当接部材の突き当て面に倣わせることによりシートの斜行を補正するという方式がある（特許文献１参照）。
【０００８】
ここで、図９に示す画像形成装置は、給紙ローラ１５２から搬送ローラ対１５４までの距離が短いので、１面目の画像形成時は、シートＳはほとんど真直ぐ搬送される。しかし、両面印刷時は、給紙ローラ１５２を通らずに両面給紙口１６３より搬送ローラ対１５４に突入していくので、シートＳの斜行を補正する斜行補正装置が必要となる。
【０００９】
そこで、従来は、再搬送通路Ｒ１に、既述した方式によりシートの斜行を補正するレジストシャッタ１２を備えたレジストシャッタユニット１０２を設けている。
【００１０】
このレジストシャッタユニット１０２は図１０に示すように、駆動ローラ１１及び従動コロ１４と、従動コロ１４のコロ軸１５に揺動可能に配置されているレジストシャッタ１２を備えている。なお、このレジストシャッタ１２は、後述するトーションバネ１８によりシートＳの搬送と逆方向に付勢されている。
【００１１】
また、このレジストシャッタ１２は、駆動ローラ１１及び従動コロ１４とのニップよりもシート搬送方向上流側で再搬送通路Ｒ１内に突出するシャッタ爪１２ａ〜１２ｄを備えている。そして、再搬送通路Ｒ１に搬送されると、シートＳは、まずトーションバネ１８により付勢されているレジストシャッタ１２のシャッタ爪１２ａ〜１２ｄに先端が突き当たって先端が一時停止し、この後、さらに搬送されると、シートＳの先端部がループを形成する。これに伴って、シートの先端がレジストシャッタ１２のシャッタ爪１２ａ〜１２ｄの突き当て面に倣うようになり、シートの斜行が補正される。
【００１２】
そして、シートの斜行が補正されると共にループが所定の大きさとなると、トーションバネ１８に抗しながらループの反力によりレジストシャッタ１２が揺動し、これに伴いシートが駆動ローラ１１及び従動コロ１４とのニップに突入する。この後、斜行補正されたシートＳは搬送ローラ対１５４を経て画像形成部１００に搬送される。
【００１３】
ところで、このような斜行補正機能をレジストシャッタ１２が備えるためには、レジストシャッタを付勢するバネ部材と、バネ部材の固定端を支持する部材と、レジストシャッタ１２の待機位置を設定するための突き当て部材が必要である。ここで、レジストシャッタ１２に安定的に付勢力を発生させることができるようにバネ部材としては、通常トーションバネが用いられる。
【００１４】
そして、レジストシャッタ１２は、図１０及び図１１に示すように、トーションバネ１８による付勢力を、レジストシャッタ１２に備えられたバネ作用端受け１２２で受けている。また、レジストシャッタ１２は、レジストシャッタ１２の揺動中心を決めるシャッタ軸受け１６の突き当て部１６１に、レジストシャッタ１２に形成された突き当て部１２１を突き当てることにより、待機位置（待機状態）が決まっている。
【００１５】
なお、このようなトーションバネ１８を用いた場合、トーションバネ１８は案内棒１７に取り付けられ、固定端は固定部材１９により固定されている。また、レジストシャッタユニット１０２は、シャッタ軸受け１６により多くとも１方向の自由度をもって搬送フレームに対する姿勢が決められている。
【先行技術文献】
【特許文献】
【００１６】
【特許文献１】特開２００６−３４１９９３号公報
【発明の概要】
【発明が解決しようとする課題】
【００１７】
ところで、このようなトーションバネ１８で付勢されるレジストシャッタでシートの斜行を補正するシート搬送装置及びこれを備えた画像形成装置においては、レジストシャッタ１２を付勢するトーションバネ１８の力が強ければ強いほど斜行補正能力は向上する。しかし、トーションバネ１８の付勢力を高く設定すると、こしの弱い薄紙等の場合、斜行補正の際、レジストシャッタ１２にシート先端が突き当たってから、シート自体が撓んでレジストシャッタ１２を揺動させることができず、ジャムが発生するおそれがある。
【００１８】
一方、ジャムが発生しないようにトーションバネの力を弱くすると、シートが、こしの強い厚紙等の場合、斜行したシートの先端がレジストシャッタ１２に倣う前に駆動ローラ１１及び従動コロ１４とのニップに突入する場合がある。この場合には、斜行補正がなされない。
【００１９】
よって、レジストシャッタ１２を付勢するトーションバネ１８の力が一定でないと、斜行補正能力が低下したりジャムが発生してしまったりする。したがって、レジストシャッタの付勢力のバラツキは小さいことが好ましい。
【００２０】
ここで、既述した図１０及び図１１に示した形態では、トーションバネ１８の案内棒１７とレジストシャッタ１２との間、及び、トーションバネ１８の固定端を固定する固定部材１９とレジストシャッタ１２との間には複数の部品が介在している。よって各部品の寸法公差の積み上げによるレジストシャッタの付勢力のバラツキが大きくなってしまう。そして、このように付勢力のバラツキが大きくなると、ジャムが発生するか、若しくは十分な斜行補正ができなかったりする。
【００２１】
そこで、本発明は、このような現状に鑑みてなされたものであり、ジャムの発生を少なくし、シートの斜行を確実に補正することのできるシート搬送装置及び画像形成装置を提供することを目的とするものである。
【課題を解決するための手段】
【００２２】
本発明は、シートを搬送する回転体対と、シート搬送方向と逆方向に付勢され、搬送されるシートの斜行を補正するために前記回転体対に向かうシートの先端に前記回転体対のニップ部よりもシート搬送方向上流で当接する当接部を有し、搬送されるシートにより押圧されて揺動するシャッタ部材と、を備えたシート搬送装置において、前記シャッタ部材をシート搬送方向と逆方向に付勢するトーションバネと、前記回転体対を構成する一方の回転体を回転可能に支持する軸受け部と、を備え、前記シャッタ部材を前記一方の回転体と同軸上に揺動可能に前記軸受け部により支持し、かつ前記トーションバネを前記シャッタ部材と同軸上に前記軸受け部により支持すると共に、前記軸受け部に、前記トーションバネの一端を係止する係止部と、前記トーションバネにより付勢された前記シャッタ部材と当接し、搬送されてくるシートの先端に当接する待機位置に前記シャッタ部材を保持する突き当て部と、を設けたことを特徴とする。
【発明の効果】
【００２３】
本発明のように、シャッタ部材をシート搬送方向と逆方向に付勢するトーションバネの付勢力のバラツキを少なくすることができるので、ジャムの発生を少なくしつつシートの斜行を確実に補正することができる。
【図面の簡単な説明】
【００２４】
【図１】本発明の実施の形態に係るシート搬送装置を備えた画像形成装置の一例である電子写真方式のプリンタの概略構成を示す図。
【図２】前記シート搬送装置であるスイッチバックユニットに設けられたレジストシャッタユニットの構成を説明する第１の図。
【図３】前記レジストシャッタユニットの構成を説明する第２の図。
【図４】前記レジストシャッタユニットの構成を説明する第３の図。
【図５】前記レジストシャッタユニットの構成を説明する第４の図。
【図６】前記レジストシャッタユニットの斜行補正動作を説明する第１の図。
【図７】前記レジストシャッタユニットの斜行補正動作を説明する第２の図。
【図８】前記レジストシャッタユニットの他の構成を説明する図。
【図９】従来の画像形成装置の構成を示す図。
【図１０】従来のレジストシャッタユニットの構成を説明する第１の図。
【図１１】従来のレジストシャッタユニットの構成を説明する第２の図。
【発明を実施するための形態】
【００２５】
以下、本発明を実施するための形態について図面を用いて詳細に説明する。図１は、本発明の実施の形態に係るシート搬送装置を備えた画像形成装置の一例である電子写真方式のプリンタの概略構成を示す図である。
【００２６】
図１において、５０は電子写真方式のプリンタ、５０Ａはプリンタ本体、５０Ｂはプリンタ本体５０Ａに設けられ、電子写真方式により画像形成を行う画像形成部、５０Ｃは画像形成部５０ＢにシートＳを給送するシート給送部である。また、５５はレーザ光を発射及び走査するスキャナユニット、８１は加圧ローラ５８ａ、回転又は固定のヒータを保持するヒーターユニット５８ｂ等で構成されている定着器である。５９は定着後、シートＳを排紙トレイ６０に排出するための正逆転可能な排紙ローラ対である。
【００２７】
５０Ｄは、片面に画像が形成されたシートを画像形成部５０Ｂに再度搬送するためのシート搬送装置であるスイッチバックユニットである。このスイッチバックユニット５０Ｄは、画像が形成されたシートＳを反転させて再度、画像形成部５０Ｂに搬送する再搬送通路Ｒ１を備えている。
【００２８】
画像形成部５０Ｂはトナー像を形成する感光体ドラム５７ａ、現像器５７ｂ等を備え、プリンタ本体５０Ａに着脱自在に装着されるプロセスカートリッジ５７、感光体ドラム５７ａに形成されたトナー像をシートＳに転写する転写ローラ５６等を備えている。シート給送部５０Ｃは、プリンタ本体５０Ａに設けられたシート積載台５１と、シート積載台５１に収納されたシートＳを給送するシート給送部材である半月状の給紙ローラ５２と、給紙ローラ５２に圧接する分離パッド７１を備えている。
【００２９】
次に、このような構成のプリンタ５０における画像形成動作について説明する。シートＳがシート積載台５１上にセットされた後、不図示のコンピュータやイメージリーダ等からプリント開始命令が入力されると、給紙ローラ５２、搬送ローラ５４、感光体ドラム５７ａ等が駆動される。
【００３０】
ここで、給紙ローラ５２が矢印方向に回転すると、シートＳが給紙ローラ５２との摩擦により送り出される。また、給紙ローラ５２が回転すると同時に、分離パッド７１によって最上位のシートＳが、次のシートと分離される。これにより、最上位のシートのみが搬送ローラ５４によって画像形成部５０Ｂに搬送されていく。
【００３１】
次に、シートＳが搬送ローラ５４により感光ドラム５７ａの回転と同期がとられて搬送されると、所定のタイミングでスキャナユニット５５が感光体ドラム５７ａにレーザー光を照射する。これにより、表面が一様に帯電された感光体ドラム５７ａ上には静電潜像が形成され、この静電潜像を現像器５７ｂによりトナーを用いて現像して可視像化する。この後、可視像化された感光体ドラム５７ａ上のトナー像は転写ローラ５６によりシートＳ上に転写される。
【００３２】
次に、トナー像が転写されたシートＳは、定着器８１によって加熱、加圧を受けることにより、トナー像がシートＳ上に永久定着される。そして、片面に画像が形成されたシートＳを排出する場合は、この後、トナー像が定着されたシートＳを、排紙ローラ対５９によりプリンタ本体外に排出し、プリンタ本体上面に設けられた排紙トレイ６０上に積載する。
【００３３】
一方、シートの両面に画像を形成する場合は、片面に画像が形成されたシートを排出しきる前に、排紙ローラ対５９の逆転により、シートＳをスイッチバックユニット５０Ｄに搬送する。この後、スイッチバックユニット５０Ｄに搬送されたシートＳを、再搬送通路Ｒ１を経て、搬送ローラ５４により再度、画像形成部５０Ｂに搬送し、シートＳの２面目に画像を形成する。
【００３４】
ところで、本プリンタ５０の場合、給紙ローラ５２から搬送ローラ５４までの距離が短いため、１面目に対する印刷時は、シートＳはほとんど真直ぐ搬送される。これに対し、２面に画像を形成する両面印刷時には、シートＳは給紙ローラ５２を通らずに両面給紙口６３より搬送ローラ５４に突入していくので、シートＳが搬送ローラ５４に達する前にシートＳの斜行を補正する必要がある。
【００３５】
このため、本実施の形態においては、再搬送通路Ｒ１にシートの斜行を補正する斜行補正部を構成するレジストシャッタユニット２０を設けている。このレジストシャッタユニット２０は、図２及び図３に示すように、シートを搬送する回転体対１０を構成する駆動ローラ１１及び従動コロ１４を備えている。なお、駆動ローラ１１と従動コロ１４は、駆動ローラ１１に対して従動コロ１４を押圧する不図示の機構を介してニップ部に、一定の値のニップ圧力を設定できるように構成している。
【００３６】
また、このレジストシャッタユニット２０は、トーションバネ１８によりシートＳの搬送方向と逆方向に付勢されている揺動可能な、シャッタ部材であるレジストシャッタ１２を備えている。なお、１５は回転体対１０を構成する一方の回転体である従動コロ１４の軸であるコロ軸であり、１６は従動コロ１４のコロ軸１５を本体側に回転可能に保持する軸受け部材である。この軸受け部材１６は、レジストシャッタ１２を、コロ軸１５と同軸上に支持するシャッタ軸受けを兼ねている。なお、軸受け部材１６は、樹脂で一体成形された部品である。
【００３７】
つまり、レジストシャッタ１２は、軸受け部材１６に揺動自在に保持されており、これによりレジストシャッタ１２の揺動中心は軸受け部を構成する軸受け部材１６により決められる。レジストシャッタ１２は、図２の斜視図に示したように従動コロ軸１４の軸方向の両端側を、軸受け部材１６によって支持される。レジストシャッタ１２は、軸方向に延びた連結部１２Ｚを備えている。レジストシャッタ１２は、連結部１２Ｚに取り付けられた複数のシャッタ爪１２ａ〜１２ｄを備えている。よって、レジストシャッタ部材１２に複数設けられたシャッタ爪１２ａ〜１２ｄは、連結部１２Ｚとともに一体的に揺動する。
【００３８】
また、当接部としてのシャッタ爪１２ａ〜１２ｄは、レジストシャッタ１２が待機状態にあるとき、回転体対１０のニップよりもシート搬送方向上流側で再搬送通路Ｒ１内に突出し、回転体対１０に向かうシートに回転体対１０のシート搬送方向上流で当接する。つまり、このシャッタ爪１２ａ〜１２ｄは、回転体対１０に向かうシートと当接する複数のシート突き当て面を形成する。
【００３９】
レジストシャッタ１２は、図３及び図４に示すように、バネ作用端受け１２４及び突き当て片１２３を備えている。また、軸受け部材１６は、突き当て部１６３及びバネかけ部１６２を備えると共に、トーションバネ１８をレジストシャッタ１２と同軸上で支持するように軸方向に延びている。なお、図４の（ａ）及び（ｂ）は、レジストシャッタユニット２０を別な角度から見た図を示している。
【００４０】
そして、レジストシャッタ１２は、トーションバネ１８の作用端１８ｂをバネ作用端受け１２４に係止させることにより、トーションバネ１８の付勢力を受けている。また、レジストシャッタ１２は、トーションバネ１８の付勢力により突き当て片１２３を軸受け部材１６の突き当て部１６３に突き当てることにより、待機位置（待機状態）に保持される。つまり、レジストシャッタ１２の揺動中心を決めるシャッタ軸受け１６の突き当て部１６３にレジストシャッタの突き当て片１２３が突き当たることにより待機位置が決まる。
【００４１】
そして、この待機位置（待機状態）に応じてシートが両面搬送ローラニップに突入するまでのレジストシャッタ１２の揺動角が設定される。なお、軸受け部材１６は、図５に示すように取り付け部１６６，１６７を、それぞれ搬送フレームのリブ２０６，２０７に嵌合させることにより、レジストシャッタユニット２０に取り付けられている。一方、トーションバネ１８は軸受け部材１６に突設された不図示の案内棒部に、レジストシャッタ１２と同軸上に支持されると共に、トーションバネ１８の一端である固定端１８ａは、軸受け部材１６の係止部であるバネかけ部１６２に固定されている。
【００４２】
次に、このように構成されたレジストシャッタユニット２０の動作について説明する。図２は、シートＳの左端が搬送方向下流側に先行して斜行している状態を示している。この場合、シートＳが矢印に示すシート搬送方向に搬送されると、まずシートＳの先行している左端側がシャッタ爪１２ａ，１２ｂのいずれか１つに突き当たる。
【００４３】
なお、このときレジストシャッタ１２は揺動せず、この後、シートＳの左端側は、レジストシャッタ１２の付勢力に抗しきれず一時、シャッタ爪に突き当たったまま停止する。一方、シートＳの遅れている右端側はシャッタ爪１２ｃ，１２ｄのいずれにも突き当たっておらず、また搬送抵抗がないためシートＳは、上流側のローラ（排紙ローラ対５９）の押し込み力により、左端を支点として図２において時計回りに回転する。これにより、シート先端の右端側がシャッタ爪１２ｃ，１２ｄのいずれかに突き当たるようになる。この結果、図６の（ａ）に示すように、シートＳの先端がレジストシャッタ１２のシャッタ爪１２ａ〜１２ｄの突き当て面に倣うようになり、シートＳの斜行が補正される。
【００４４】
また、この後、さらにシートが搬送されると、シートＳの先端部がループを形成し、やがてループが所定の大きさとなると、ループの反力により図６の（ｂ）に示すように、レジストシャッタ１２が矢印方向に揺動する。これに伴いシートが、図７の（ａ）に示すように、駆動ローラ１１及び従動コロ１４とのニップＮに突入する。シートの先端がレジストシャッタ１２の突き当て面に当接した状態を保ちながら、シートの先端がニップＮに突入して駆動ローラ１１及び従動コロ１４によって挟持されるので、駆動ローラ１１及び従動コロ１４に挟持されたシートの斜行は補正された状態となる。
【００４５】
次に、斜行補正されたシートＳはレジストシャッタ１２を揺動させながら先端がレジストシャッタ１２の爪部１２ａ〜１２ｄを通過する。この後、さらにシートＳがレジストローラの下流側のローラ（搬送ローラ５４）により搬送されると、シートＳの後端が駆動ローラ１１及び従動コロ１４とのニップＮ及びシャッタ爪１２ａ〜１２ｄを抜ける。
【００４６】
ここで、シート後端がシャッタ爪１２ａ〜１２ｄを抜けると、レジストシャッタ１２は図７の（ｂ）に示すように、トーションバネ１８の付勢力により矢印方向に揺動する。そして、レジストシャッタ１２の突き当て片１２３が軸受け部材１６の突き当て部１６３に当接し、レジストシャッタ１２は待機位置に戻る。
【００４７】
なお、シート先端における左端側がレジストシャッタ１２に当接した時点ではレジストシャッタ１２が揺動せず、シート先端の右端側もレジストシャッタ１２に当接してからレジストシャッタ１２の揺動が始まる形態を例示した。しかし、シートがレジストシャッタ１２を揺動させている途中で、シート先端が複数のレジストシャッタの突き当て面に突き当ることでシート先端が突き当て面に倣っていくように、トーションバネのバネ力を設定しても斜行の補正は可能である。
【００４８】
ところで、既述したようにレジストシャッタ１２は軸受け部材１６に揺動自在に保持（支持）されており、トーションバネ１８は軸受け部材１６によってレジストシャッタ１２と同軸上に支持されている。つまり、本実施の形態においては、レジストシャッタ１２と、トーションバネ１８は、軸受け部材１６に取り付けられており、これら３部品間でレジストシャッタ１２の付勢力を発生させている。
【００４９】
そして、このように構成することにより、レジストシャッタ１２とトーションバネ１８との間に介する部品点数を最小にし、特に高精度の部品を用いることなくレジストシャッタ１２の付勢力の量産上のバラツキを最小にすることができる。この結果、ジャムが発生しない範囲で可能な限り付勢力を大きく設定することができ、斜行補正能力を高めることができる。
【００５０】
以上説明したように、トーションバネ１８を、軸受け部材１６によってレジストシャッタ１２と同軸上に支持することにより、レジストシャッタ１２の付勢力のバラツキを最小にすることができ、これによりシートの斜行を確実に補正することができる。また、レジストシャッタ１２と、トーションバネ１８を軸受け部材１６に取り付けるようにすることにより、軸受け部材１６により、レジストシャッタ１２とトーションバネ１８の関係が決まる。ここで、トーションバネ１８の案内棒部を有する軸受け部材１６は、レジストシャッタ１２の揺動中心を決めている部品であるので、レジストシャッタ１２の揺動角と付勢力の関係は線形となり、付勢力の管理・保証が容易となる。
【００５１】
さらに、既述したようにレジストシャッタ１２の付勢力を３部品間で発生させているため、この３部品にもう一方のシャッタ軸受けと従動コロを加えた部品点数でレジストシャッタユニットを構成することができる。この結果、組立時のハンドリングが容易になり、コストダウンにつながる。また、本実施の形態においては、例えば図３に示すように、軸受け部材１６のシート搬送方向と直交する側面にバネかけ部１６２と突き当て部１６３と設けるようにしている。これにより、例えば図２に示す左右の軸受け部材１６を同一形状とすることができる。
【００５２】
ところで、これまでの説明においては、レジストシャッタ１２にシャッタ爪を４つ備えた場合について説明したが、本発明は、これに限らない。例えば、上述の形態において軸方向に従動コロ１４（および駆動ローラ１１）を２つ備えていた構成に代えて、軸方向に４つの従動コロ１４（および駆動ローラ１１）を備えた構成とする。そして、軸方向に並んだ４つの従動ローラ（駆動ローラ１１）のそれぞれ間と、軸方向の両端側（幅方向における一番外側の従動ローラよりも外側）とに、シャッタ爪を配置する。つまり、合計５つのシャッタ爪を配置してもよい。この構成では、幅方向のサイズの小さいシートのシートを搬送する場合にも、例えば幅方向における両側に配置したシャッタ爪を除いた３つのシャッタ爪によって斜行補正に対応できる。
【００５３】
また、例えば、レジストシャッタ１２は、図８に示すように従動コロ１４の外側に配設された２つのシャッタ爪１２ａ，１２ｄを備えたものとしても良い。そして、このようにレジストシャッタ１２が２つのシャッタ爪１２ａ，１２ｄを備えることにより、斜行補正が２点でなされるようになり、斜行補正能力が安定する。またレジストシャッタ１２において部品精度を要求される部位を少なくすることにより、安定して部品を量産することができる。
【００５４】
また、これまでの説明においては、プリンタ本体５０Ａの再搬送通路Ｒ１にレジストシャッタユニット２０を配設したが、本発明は、これに限らず、レジストシャッタユニット２０を斜行補正が必要な任意の位置に配設しても良い。例えば、給紙ローラ５２によって給送されたシートを画像形成部５０Ｂへ搬送する通路上にシャッタユニットを配置してもよい。
【符号の説明】
【００５５】
１０…回転体対、１１…駆動ローラ、１２…レジストシャッタ、１２ａ〜１２ｄ…シャッタ爪、１４…従動コロ、１５…コロ軸、１６…軸受け部材、１８…トーションバネ、５０…プリンタ、５０Ａ…プリンタ本体、５０Ｂ…画像形成部、５０Ｄ…スイッチバックユニット、５９…排紙ローラ対、１２３…突き当て片、１６２…バネかけ部、１６３…突き当て部、Ｒ１…再搬送通路、Ｓ…シート
【図１】
0005393384.tif 000002
【図２】
0005393384.tif 000003
【図３】
0005393384.tif 000004
【図４】
0005393384.tif 000005
【図５】
0005393384.tif 000006
【図６】
0005393384.tif 000007
【図７】
0005393384.tif 000008
【図８】
0005393384.tif 000009
【図９】
0005393384.tif 000010
【図１０】
0005393384.tif 000011
【図１１】
0005393384.tif 000012